(57)【要約】【課題】移動スケジュールの連絡サービスにおいて、連絡元端末側から自発的かつ簡単に、途中の交通手段情報、移動経路情報などを加味したスケジュール情報を連絡先端末側に送信可能な技術の提供。【解決手段】移動スケジュール情報連絡用サーバとして、連絡元端末から送信されたサービス要求または該連絡元端末の所定エリア内への移動のいずれか一方または両方を確認する確認手段と、該確認後、移動の起点情報と終点情報とを含む移動情報に基づき、該連絡元端末の上記終点への到着時刻を含む移動スケジュール情報を作成する移動スケジュール情報作成手段と、該作成された移動スケジュール情報を連絡先端末または該連絡元端末に送信する送信手段とを備える。【選択図】  図２
2004187244.tif 000002
【特許請求の範囲】
【請求項１】
ネットワークに接続されたサーバにより連絡元端末の起点から終点までの移動スケジュール情報を連絡先端末側に連絡する移動スケジュール情報の連絡サービス方法であって、
上記サーバが上記連絡元端末からのサービス要求を取得して確認するステップと、
上記サーバが、上記確認後、上記起点を表す起点情報と上記終点を表す終点情報とを含む移動情報に基づき、上記連絡元端末が該終点に到着する時刻を表す到着時刻情報を含む移動スケジュール情報を作成するステップと、
上記サーバが、該作成した移動スケジュール情報を該連絡先端末に送信するステップと、
を備えることを特徴とする移動スケジュール情報の連絡サービス方法。
【請求項２】
ネットワークに接続されたサーバにより連絡元端末の起点から終点までの移動スケジュール情報を連絡先端末側に連絡する移動スケジュール情報の連絡サービス方法であって、
上記サーバが、上記連絡元端末が所定エリア内へ移動したことを確認するステップと、
上記サーバが、上記確認後、上記起点を表す起点情報と上記終点を表す終点情報とを含む移動情報に基づき、該連絡元端末が該終点に到着する時刻を表す到着時刻情報を含む移動スケジュール情報を作成するステップと、
上記サーバが、該作成した移動スケジュール情報を該連絡先端末に送信するステップと、
を備えることを特徴とする移動スケジュール情報の連絡サービス方法。
【請求項３】
ネットワークに接続されたサーバにより連絡元端末の起点から終点までの移動スケジュール情報を連絡先端末側に連絡する移動スケジュール情報の連絡サービス方法であって、
上記サーバが上記連絡元端末からのサービス要求を取得して確認するステップと、
上記サーバが、上記確認後、上記起点を表す起点情報と上記終点を表す終点情報とを含む移動情報に基づき、上記連絡元端末が該終点に到着する時刻を表す到着時刻情報を含む移動スケジュール情報を作成するステップと、
上記サーバが、該作成した移動スケジュール情報を上記連絡先端末に送信するステップと、
上記サーバが、上記移動スケジュール情報の送信後、交通情報に変化が発生したことを確認するステップと、
上記サーバが、該確認後、移動スケジュール情報を再作成するステップと、
上記サーバが、該再作成した移動スケジュール情報を上記連絡先端末に送信するステップと、
を備えることを特徴とする移動スケジュール情報の連絡サービス方法。
【請求項４】
ネットワークに接続されたサーバにより連絡元端末の起点から終点までの移動スケジュール情報を連絡先端末側に連絡する移動スケジュール情報の連絡サービス方法であって、
上記サーバが、上記連絡元端末が所定エリア内へ移動したことを確認するステップと、
上記サーバが、上記確認後、上記起点を表す起点情報と上記終点を表す終点情報とを含む移動情報に基づき、該連絡元端末が該終点に到着する時刻を表す到着時刻情報を含む移動スケジュール情報を作成するステップと、
上記サーバが、該作成した移動スケジュール情報を上記連絡先端末に送信するステップと、
上記サーバが、上記移動スケジュール情報の送信後、交通情報に変化が発生したことを確認するステップと、
上記サーバが、該確認後、移動スケジュール情報を再作成するステップと、
上記サーバが、該再作成した移動スケジュール情報を上記連絡先端末に送信するステップと、
を備えることを特徴とする移動スケジュール情報の連絡サービス方法。
【請求項５】
ネットワークに接続されたサーバにより連絡元端末の起点から終点までの移動スケジュール情報を連絡先端末側に連絡する移動スケジュール情報の連絡サービス方法であって、
上記サーバが上記連絡元端末からのサービス要求を取得して確認するステップと、
上記サーバが、上記確認後、上記起点を表す起点情報と上記終点を表す終点情報とを含む移動情報に基づき、上記連絡元端末が該終点に到着する時刻を表す到着時刻情報を含む移動スケジュール情報を作成するステップと、
上記サーバが、該作成した移動スケジュール情報を該連絡先端末に送信するステップと、
上記サーバによる上記移動スケジュール情報の送信後に、上記連絡元端末の上記移動スケジュールからの逸脱が発生したとき、上記サーバが、上記連絡元端末の現在地を表す情報と現時刻を表す情報とに基づき、上記逸脱を確認するステップと、
上記サーバが、該確認後、移動スケジュール情報を再作成するステップと、
上記サーバが、該再作成した移動スケジュール情報を上記連絡先端末に送信するステップと、
上記サーバが、上記連絡元端末に対する課金の計算を行うステップと、
を備えることを特徴とする移動スケジュール情報の連絡サービス方法。
【請求項６】
ネットワークに接続されたサーバにより連絡元端末の起点から終点までの移動スケジュール情報を連絡先端末側に連絡する移動スケジュール情報の連絡サービス方法であって、
上記サーバが、上記連絡元端末が所定エリア内へ移動したことを確認するステップと、
上記サーバが上記確認後、上記起点を表す起点情報と上記終点を表す終点情報とを含む移動情報に基づき、該連絡元端末が該終点に到着する時刻を表す到着時刻情報を含む移動スケジュール情報を作成するステップと、
上記サーバが、該作成した移動スケジュール情報を該連絡先端末に送信するステップと、
上記サーバによる上記移動スケジュール情報の送信後に、上記連絡元端末の上記移動スケジュールからの逸脱が発生したとき、上記サーバが、上記連絡元端末の現在地を表す情報と現時刻を表す情報とに基づき、上記逸脱を確認するステップと、
上記サーバが、該確認後、移動スケジュール情報を再作成するステップと、
上記サーバが、該再作成した移動スケジュール情報を上記連絡先端末に送信するステップと、
を備えることを特徴とする移動スケジュール情報の連絡サービス方法。
【請求項７】
上記移動情報に含まれる上記起点情報は、連絡元端末の現在地を表す情報または予め登録した登録起点を表す情報である請求項１から６のいずれかに記載の移動スケジュール情報の連絡サービス方法。
【請求項８】
上記移動情報に含まれる上記終点情報は、連絡先端末の現在地を表す情報または予め登録した登録終点を表す情報である請求項１から６のいずれかに記載の移動スケジュール情報の連絡サービス方法。
【請求項９】
上記移動情報は、上記連絡元端末の移動に関する交通手段を表す交通手段情報を含む請求項１から６のいずれかに記載の移動スケジュール情報の連絡サービス方法。
【請求項１０】
上記移動情報は、上記連絡元端末の移動経路を表す移動経路情報を含み、上記サーバは、上記移動スケジュール情報を作成するとき、上記移動経路情報から交通手段を決めるようになっている請求項１から６のいずれかに記載の移動スケジュール情報の連絡サービス方法。
【請求項１１】
上記移動スケジュール情報は、上記連絡元端末とともに移動する移動者を表す移動者情報を含む情報である請求項１から６のいずれかに記載の移動スケジュール情報の連絡サービス方法。
【請求項１２】
上記サーバが、上記作成した移動スケジュール情報を上記連絡先端末に送信するステップまたは上記再作成した移動スケジュール情報を該連絡先端末に送信するステップにおいて、該サーバが、上記作成した移動スケジュール情報または上記再作成した移動スケジュール情報を連絡元端末にも送信する請求項１から６のいずれかに記載の移動スケジュール情報の連絡サービス方法。
【請求項１３】
上記移動スケジュール情報は、移動スケジュールに関する交通手段を表す交通手段情報及び該交通手段に関する時刻情報を含む請求項１から６のいずれかに記載の移動スケジュール情報の連絡サービス方法。
【請求項１４】
ネットワークに接続され連絡元端末の起点から終点までの移動スケジュール情報を連絡先端末側に連絡する移動スケジュール情報連絡用サーバであって、
上記連絡元端末から送信されたサービス要求または該連絡元端末の所定エリア内への移動のいずれか一方または両方を確認する確認手段と、
該確認手段による該確認後、上記起点を表す起点情報と上記終点を表す終点情報とを含む移動情報に基づき、該連絡元端末が上記終点に到着する時刻を表す到着時刻情報を含む移動スケジュール情報を作成する移動スケジュール情報作成手段と、
該作成された移動スケジュール情報を上記連絡先端末に送信する送信手段と、
を備えることを特徴とする移動スケジュール情報連絡用サーバ。
【請求項１５】
上記起点情報は、上記連絡元端末の現在地を表す情報または予め登録した登録起点を表す情報であり、また、上記終点情報は、上記連絡先端末の現在地を表す情報または予め登録した登録終点を表す情報である請求項１４に記載の移動スケジュール情報連絡用サーバ。
【請求項１６】
上記送信手段は、上記連絡元端末にも上記移動スケジュール情報を送信可能な構成である請求項１４または請求項１５に記載の移動スケジュール情報連絡用サーバ。
【請求項１７】
ネットワークに接続されたサーバにより自身の起点から終点までの移動スケジュール情報を連絡先端末に連絡する移動スケジュール情報連絡用の端末であって、
サービス要求を上記サーバに対して送信することを指示する指示手段と、
該指示に従い、上記サービス要求として上記サーバに対し、上記起点を表す起点情報と上記終点を表す終点情報とを含む移動情報に基づき、端末自身が該終点に到着する時刻を表す到着時刻情報を含む移動スケジュール情報を作成して上記連絡先端末に送信することを要求するサービス要求を送信する送信手段と、
を備えることを特徴とする端末。
【請求項１８】
ネットワークに接続されたサーバにより自身の起点から終点までの移動スケジュール情報を連絡先端末に連絡する移動スケジュール情報連絡用の端末であって、
自身の現在位置を計測する現在位置計測手段と、
サービス要求を上記サーバに対して送信することを指示する指示手段と、
上記現在位置計測手段で計測された現在位置を起点情報として上記サーバに送信するとともに、上記指示に従い、上記サービス要求として上記サーバに対し、上記起点情報と、上記終点を表す終点情報とを含む移動情報に基づき、端末自身が該終点に到着する時刻を表す到着時刻情報を含む移動スケジュール情報を作成して上記連絡先端末に送信することを要求するサービス要求を送信する送信手段と、
を備えることを特徴とする端末。
【請求項１９】
上記指示手段は、１つのボタンで構成され該１つのボタンを１回操作することにより上記サービス要求の送信指示を行う構成、または、端末自身が所定エリア内に入ったときに自動的に上記サービス要求の送信指示を行う構成である請求項１７または請求項１８に記載の端末。
【請求項２０】
上記送信手段は、上記サービス要求とともにまたは上記サービス要求に含めて、上記起点情報、上記終点情報のいずれか一方または両方を上記サーバに送信する請求項１７または請求項１８に記載の端末。
【請求項２１】
ネットワークに接続されたサーバにより連絡元端末の起点から終点までの移動スケジュール情報を連絡先端末側に連絡する移動スケジュール情報の連絡サービス方法であって、
上記サーバが上記連絡元端末からのサービス要求を取得して確認するステップと、
上記サーバが、上記確認後、上記起点を表す起点情報と上記終点を表す終点情報とを含む移動情報に基づき、上記連絡元端末が該終点に到着する時刻を表す到着時刻情報を含む移動スケジュール情報を作成するステップと、
上記サーバが、該作成した移動スケジュール情報を該連絡先端末に送信するステップと、
上記サーバが、上記連絡元端末に対する課金の計算を行うステップと、
を備えることを特徴とする移動スケジュール情報の連絡サービス方法。
【請求項２２】
ネットワークに接続され連絡元端末の起点から終点までの移動スケジュール情報を連絡先端末側に連絡する移動スケジュール情報連絡用サーバであって、
上記連絡元端末から送信されたサービス要求または該連絡元端末の所定エリア内への移動のいずれか一方または両方を確認する確認手段と、
該確認手段による該確認後、上記起点を表す起点情報と上記終点を表す終点情報とを含む移動情報に基づき、該連絡元端末が上記終点に到着する時刻を表す到着時刻情報を含む移動スケジュール情報を作成する移動スケジュール情報作成手段と、
該作成された移動スケジュール情報を上記連絡先端末に送信する送信手段と、
上記連絡元端末に対する課金の計算を行う課金手段と、
を備えることを特徴とする移動スケジュール情報連絡用サーバ。
【発明の詳細な説明】
【０００１】
【発明の属する技術分野】
本発明は、経路探索に係る移動スケジュール情報の連絡サービス方法、移動スケジュール情報連絡用サーバ及び端末に関する。
【０００２】
【従来の技術】
本発明に関連した従来技術としては、例えば特開２００１−１４１４７８号公報（特許文献１）に記載されたものがある。該公報には、待ち人の携帯電話機に、目的地へ向かっている車両の現在位置と到着予想時間を定期的に送信するナビゲーションシステムとして、目的地の待ち人が、携帯電話機で現在位置を測定し、目的地へ車両で向かっている人の携帯電話機に電話をかけ、目的地の位置情報を送信すると、これを受信した車載用ナビゲーション装置は、車両の現在位置から目的地までの経路を探索するとともに目的地への到着予想時間を算出し、目的地の待ち人の携帯電話機に車両の現在位置と到着予想時間の情報を定期的に送信し、ディスプレイ装置に誘導経路を表示して目的地までの車両誘導を開始する構成が記載されている。
【０００３】
【特許文献１】
特開２００１−１４１４７８号公報
【０００４】
【発明が解決しようとする課題】
上記従来技術は、まず最初に、待ち人から向い人に対して待ち人がいる目的地を通知する必要がある。従って、待ち人からの目的地の通知がないと、向い人から積極的に待ち人へ向けて到着予想時刻を通知することができない。しかし、例えば会社から自宅に帰る時に自宅へ帰宅時刻を通知する場合などでは、仕事が何時に終るか分からないので、まず帰宅する者（以下、向い人という）側から操作を開始するのが適切である。また、上記従来技術では、ナビゲーション装置が向い人といっしょに移動することが必要であり、該向い人がは車以外で移動する場合にもナビゲーション装置を携行せねばならないことになる。
また、携帯電話のメールで、今何処にいて今から帰るなど帰宅する旨の連絡を自宅にする場合などにおいても、電車などの交通機関のうち利用便の時刻が不明なため、およその帰宅時間しか連絡することができない場合が多い。
本発明の課題点は、上記従来技術の状況に鑑み、連絡元端末（向い人の端末）の移動スケジュール情報を連絡先端末（目的地の待ち人の端末）に連絡する連絡サービス技術において、（１）簡単な操作により、かつ待ち人側からの通知を受けずとも、向い人側から到着予想時刻を待ち人側に連絡できるようにすること、（２）交通機関の状況なども加味した到着予想時刻を待ち人側に連絡できるようにすること、などである。
本発明の目的はかかる課題点を解決できる技術の提供にある。
【０００５】
【課題を解決するための手段】
上記課題点を解決するために、本発明では、向い人側の連絡元端末の移動スケジュール情報を、待ち人側の連絡先端末に連絡する連絡サービス技術において、（１）移動者の携帯する連絡元端末からのサービス要求確認時に、あるいは、連絡元端末の所定エリアへの移動確認時に、移動スケジュール情報の作成及び送信を行う。（２）起点は、連絡元端末の現在地あるいは予め登録した登録起点とし、また、終点は、連絡先端末の現在地あるいは予め登録した登録終点とする。これにより、サービス要求毎の起点や終点の情報設定操作を不要にする。（３）移動情報は交通手段情報を含む、または、移動経路情報を含みかつ移動スケジュール情報作成時に交通手段を推測する。（４）移動スケジュール情報は、移動者を示す移動者情報、または、利用する交通手段情報及び該交通手段に関する時刻情報を含む。（５）移動スケジュール送信後に、交通情報の変化発生、あるいは、連絡元端末の移動状況を基に、移動スケジュールの逸脱発生を確認すると、移動スケジュール情報を再作成し、移動スケジュール情報に変更が発生したとき再送信する。（６）移動スケジュール情報を連絡元端末にも送信する。
【０００６】
【発明の実施の形態】
以下、本発明の実施例につき、図面を用いて説明する。
図１は、本発明の移動スケジュール連絡サービスの概念を示す図である。
図１において、１はサーバ、２は移動者が携帯する携帯電話などの連絡元端末、３は、待ち人など連絡受け入れ者側が所持する携帯電話などの連絡先端末である。本移動スケジュール連絡サービスでは、連絡元端末２の任意の起点から任意の終点までの移動スケジュールを連絡先端末３に連絡する。サーバ１は、連絡元端末２からの、起点（例えば現在地）、終点（例えば帰宅地）から成る移動情報と、連絡先端末情報（例えば帰宅地にいる人の携帯電話メールアドレス）とを含む移動スケジュール連絡サービス要求メールを確認すると、起点及び終点を基に、連絡元端末２が終点に到着する時刻を表す到着時刻と、連絡元端末２とともに移動する移動者を表す移動者情報を含む移動スケジュール連絡メールを作成し、連絡先端末３に送信する。また、本サービスを要求した連絡元端末２には、到着時刻と、移動に用いる交通手段及びその時刻情報を含む移動スケジュール連絡メールの送信を行う。一方、本サービスを要求する連絡元端末２は、メール機能を有し、かつ、メール機能のうちの特殊機能として、帰宅メール送信機能を有し、メールメニューの「移動（例えば帰宅）メール送信」のメニュー選択により、リアルタイムに自動入手する起点の現在地情報（例えば会社所在地などの情報）と、予め登録済みの終点の移動先情報（例えば帰宅地などの情報）とから成る移動情報と、連絡先端末情報（例えば帰宅地にいる人の携帯電話メールアドレスなどの情報）とを含む移動スケジュール連絡サービス要求メールを作成し、これを、予め登録済みの移動スケジュール連絡サービスを行うサーバ１へ送信する。なお、移動メール専用ボタンに替えて、移動（例えば帰宅）メール専用ボタンや、ショートカットキーなどを用いてもよい。また、本サービスによる連絡受け入れ者側が所有する連絡先端末３も、メール機能を有し、サーバ１側から受信する移動スケジュール連絡メールの内容を確認することができるものとする。
【０００７】
図２は、本発明の移動スケジュール連絡サービスにおける処理手順例を示す図である。
図２において、
（１）サーバ１は、アイドル状態では、サービス要求メール待ち状態となっているものとし、該アイドル状態において、連絡元端末２のボタン操作やキー操作、または該連絡元端末２が予め決められた所定エリア内に移動した場合の該連絡元端末２内における自動的な指示動作により「帰宅メール送信」機能の実行によるサービス要求メールの送信が行われ、該送信メールをサーバ１が受信すると、サーバ１は、サービス要求メール待ち状態から脱し、該受信したメールに含まれる起点（現在地）、終点（帰宅地）、移動者、連絡先メールアドレスなどの帰宅情報を取得する。
（２）サーバ１は、上記取得した帰宅情報から利用する交通手段と帰宅時間とを含む帰宅スケジュール（移動スケジュール）を作成する。
（３）次に、サーバ１は、作成した帰宅スケジュール（移動スケジュール）のうち帰宅者と帰宅時間とを含む連絡先端末３向けの帰宅メールを作成し、これを、受信したサービス要求メールから取得した上記連絡先端末３の連絡先メールアドレスに宛てて送信する。
（４）該帰宅メールを受信した連絡先端末３は、通常のメール受信及び内容確認の機能を用いて、そのメール内容の帰宅者及び帰宅時間を確認する。
（５）次いで、サーバ１は、作成した帰宅スケジュール（移動スケジュール）のうち帰宅時間と利用交通手段を含む連絡元端末２向けの帰宅メールを作成し、サービス要求メールから取得した連絡先メールアドレスに宛てて送信する。
（６）該帰宅メールを受信した連絡元端末２では、通常のメール機能を用いて、上記帰宅時間と利用交通手段を含む帰宅スケジュール（移動スケジュール）を表示する。
（７）さらに、サーバ１は、連絡元端末２の帰宅メールのサービス料の課金を行う。サービス料の課金は、連絡元端末２側への直接課金処理でも、ネットワーク提供会社（例えば携帯電話網提供会社）を介在させた課金処理であってもよい。また、該サービス料の課金は、サービス利用毎などの従量制もしくは月極めなどの定額制、またはこれらの併用などによる課金など、特に限定されない。
【０００８】
図３は、本発明の移動スケジュール連絡サービスのシステム構成例を示す図である。
図３において、１はサーバ、２は連絡元端末、３は連絡先端末、１ｍは、サーバ１において端末等の機器とのメールのやり取りを行うメール送受信部、１ｐは、サーバ１の「帰るメールサービス」に関する各種情報処理を行う帰るメールサービス情報処理部、１ｓは、サーバ１の、各種情報を記憶する情報記憶部、１ｐｍは、帰るメールサービス情報処理部１ｐ内においてメール送受信部１ｍを介したメールの送受信処理を行うメール送受信処理部、１ｐｃは、同じく帰るメールサービス情報処理部１ｐ内において受信したメールが帰るメールサービス要求メールであるか否かを確認する帰るメールサービス要求確認処理部、１ｐｓは、帰るメールサービス情報処理部１ｐ内において、帰るメールサービス要求メール内の帰宅情報を基に帰宅スケジュールを作成する帰宅スケジュール作成処理部、１ｐｋは、帰るメールサービス情報処理部１ｐ内において作成した帰宅スケジュールを基に連絡先端末への帰るメールを作成／送信する帰るメール作成／送信処理部、１ｐｒは、帰るメールサービス情報処理部１ｐ内において作成した帰宅スケジュールを基に連絡元端末３への帰るスケジュールメールを作成／送信する帰るスケジュール作成／送信処理部、１ｐｐは、帰るメールサービス情報処理部１ｐ内において帰るメールサービスの利用に対する課金処理部、２ｍは連絡元端末２内におけるメール送受信部、２ｇは連絡元端末２内におけるＧＰＳ受信部、２ｉは連絡元端末２内における入力操作部、２ｄは連絡元端末２内における表示部、２ｐは連絡元端末２内における情報処理部、２ｓは連絡元端末２内における情報記憶部、２ｐｍは、情報処理部２ｐ内においてメール送受信部２ｍを介したメールの送受信処理を行うメール送受信処理部、２ｐｖは、表示部２ｄに対し情報処理部２ｐ内においてメール内容を表示するメールビューア処理部、２ｐｋは、情報処理部２ｐ内において各種帰宅情報を基に、帰るメールサービスを要求するためのメールを自動的に作成／送信する帰るメールサービス要求メール自動作成／送信処理部、２ｐｇは、情報処理部２ｐ内においてＧＰＳ受信部２ｇからのＧＰＳ信号を基に現在地を算出する現在地算出処理部、３ｍは連絡元端末３内におけるメール送受信部、３ｐは連絡元端末３内における情報処理部、３ｉは連絡元端末３内における入力操作部、３ｄは連絡元端末３内における表示部、３ｓは連絡元端末３内における情報記憶部、３ｐｍは、情報処理部３ｐ内においてメール送受信部３ｍを介したメールの送受信処理を行うメール送受信処理部、３ｐｖは、表示部３ｄに対し情報処理部３ｐ内においてメール内容を表示するメールビューア処理部である。
【０００９】
サーバ１では、帰るメールサービス要求確認処理部１ｐにおいて、メール送受信部１ｍ経由で受信したメール群に、情報記憶部１ｓ内の顧客情報などから帰るメールサービス要求メールであることを確認した後、次の処理を行う。帰宅スケジュール作成処理部１ｐｓで、受信したメール内の起点と終点（帰宅地）、情報記憶部１ｓ内の各種交通手段情報、その時刻情報、地図情報などの移動情報から、起点から終点までの各種交通手段を利用した移動スケジュールを作成する。次に、帰るメール作成／送信処理部１ｐｋにおいて、帰るメールサービス要求メール内の連絡元情報と移動スケジュール内の終点到達時刻（帰宅時刻）とを含む帰るメールを作成し、帰るメールサービス要求メール内の連絡先端末メールアドレスへ作成した帰るメールを送信する。さらに、帰るメールスケジュールメール作成／送信処理部１ｐｒで、移動スケジュール内の終点到達時刻（帰宅時刻）と作成した移動スケジュールとを含む帰るスケジュールメールを作成し、帰るメールサービス要求メール送信元（連絡元端末メールアドレス）へ、作成した帰るスケジュールメールを送信する。最後に、課金処理部１ｐｐにおいて顧客に対するサービス利用料の課金処理を行う。
【００１０】
連絡元端末２では、入力操作部２ｉからのユーザ操作に従い、情報処理部２ｐ内の帰るメールサービス要求メール自動作成／送信処理２ｐｋにより、帰るメールサービスを要求するためのメールを作成して送信する。メール作成においては、起点（現在地算出処理部２ｐｇで算出した現在地）、終点（情報記憶部２ｓ内に記憶した帰宅地情報（自宅位置情報））、連絡先メールアドレス（情報記憶部２ｓ内に記憶した連絡先情報（自宅にある携帯電話のメールアドレス））の各種情報を含むメールを作成する。メール送信においては、該作成したメールをサーバメールアドレス（情報記憶部２ｓ内のサーバ情報）へ送信する。連絡元端末２では、メール送受信処理部２ｐｍにより、サーバ１からの帰るスケジュールメールをメール送受信部２ｍを経由して受信する。また、受信した帰るスケジュールメールは、ユーザの入力操作部２ｉからの操作に従い、メールビューア処理部２ｐｖにより表示部２ｄに表示する。
【００１１】
連絡先端末３では、メール送受信処理部３ｐｍにより、サーバ１からの帰るメールをメール送受信部３ｍを経由して受信する。受信した帰るメールは、ユーザによる入力操作部３ｉからの操作に従い、メールビューア処理部３ｐｖにより表示部３ｄに表示する。
【００１２】
図４は、本発明における帰るメールサービスの処理手順例を示す図である。
図４において、
（１）連絡元端末２が帰るメールの操作待ちになっている（ステップＳ１）。
（２）連絡元端末２のキーやボタンなどによる入力操作により、または該連絡元端末２の所定のエリア内への移動による自動送信により、該連絡元端末２が、予め登録されているメールサービス要求情報の起点情報（連絡元端末２の現在地）と終点情報（予め登録した帰宅地）とから成る移動情報と、連絡先端末情報（メールアドレス）とを含む帰るメールサービスの要求メールをサーバ１へ送信する（ステップＳ２）。
（３）サーバ１が、移動情報に基づき帰宅スケージュールを作成する（ステップＳ３）。
（４）サーバ１が、移動者情報（帰宅者氏名）と、作成した帰宅スケジュール情報内の到着時刻情報（帰宅時刻）とを含む帰るメールを連絡先端末３へ送信する（ステップＳ４）。
（５）サーバ１が、作成した帰宅スケジュール情報内の到着時刻情報（帰宅時刻）と、作成した帰宅スケジュール情報とを含む帰るスケジュールメールを連絡元先端末２へ送信する（ステップＳ５）。
（６）サーバ１が、連絡元端末２の帰るメールサービス利用に対する課金処理を行う（ステップＳ６）。
【００１３】
上記実施例によれば、簡単操作で、正確な帰宅時間の連絡等が可能となる。すなわち、サーバ１は、移動者の連絡元端末２からのサービス要求により、移動スケジュール情報の作成及び送信を行うため、移動者の意図による到着時刻の連絡を行うことができる。起点を連絡元端末２の現在地、終点は、予め登録した登録終点とすることで、サービス要求毎の起点や終点の情報設定の操作を不要にでき、簡単操作によって到着時刻の連絡を連絡先端末３に対して行うことができる。帰るメール内の移動スケジュール情報は、移動者を示す移動者情報を含むことで、連絡先端末３側での移動者の識別を可能とする。また、移動スケジュール情報を連絡元端末２に送信することで、移動スケジュールの移動者自身による把握が可能となる。
【００１４】
なお、本発明は、上記実施例に限定されず、さらに下記のような形態も含む。すなわち、
（イ）サーバ１が、連絡元端末２が所定エリア内へ移動したことを位置情報割出し手段などにより確認したとき、該サーバ１は、自動的に移動スケジュール情報の作成及び送信を行う。すなわち、連絡元端末２からのサービス要求がなくとも、サーバ１が、連絡元端末２が所定エリア内へ移動したことを確認したとき、該確認後該サーバ１は、起点情報と終点情報とを含む移動情報に基づき、該連絡元端末２が該終点に到着する時刻を含む移動スケジュール情報を作成し、連絡先端末３または該連絡先端末３及び連絡元端末２に送信する。さらに、サーバ１は、上記連絡元端末２に対するサービス料の課金の計算を行う。
（ロ）サーバ１が連絡元端末２からのサービス要求を取得して確認し、確認後、起点情報と終点情報とを含む移動情報に基づき、連絡元端末２の該終点への到着時刻を含む移動スケジュール情報を作成し、該作成した移動スケジュール情報を連絡先端末３または該連絡先端末３及び連絡元端末２に送信する。さらに、上記移動スケジュール情報の送信後、交通情報に変化が発生したときは、サーバ１はこれを確認し、該確認後、移動スケジュール情報を再作成し、該再作成した移動スケジュール情報を連絡先端末３または該連絡先端末３及び連絡元端末２に送信する。さらに、上記連絡元端末２に対する課金の計算を行う。
（ハ）連絡元端末２からのサービス要求がなくとも、サーバ１が、連絡元端末２が所定エリア内へ移動したことを確認したとき、該確認後該サーバ１は、起点情報と終点情報とを含む移動情報に基づき、該連絡元端末２が該終点に到着する時刻を含む移動スケジュール情報を作成し、連絡先端末３または該連絡先端末３及び連絡元端末２に送信する。さらに、上記移動スケジュール情報の送信後、交通情報に変化が発生したときは、サーバ１はこれを確認し、該確認後、移動スケジュール情報を再作成し、該再作成した移動スケジュール情報を連絡先端末３または該連絡先端末３及び連絡元端末２に送信する。さらに、上記連絡元端末２に対する課金の計算を行う。
（ニ）サーバ１が連絡元端末２からのサービス要求を取得して確認し、確認後、起点情報と終点情報とを含む移動情報に基づき、連絡元端末２の該終点への到着時刻を含む移動スケジュール情報を作成し、該作成した移動スケジュール情報を連絡先端末３または該連絡先端末３及び連絡元端末２に送信する。さらに、上記移動スケジュール情報の送信後、該連絡元端末２に寄り道などによる移動スケジュールからの逸脱が発生したとき、サーバ１が、上記連絡元端末２の現在地を表す情報と現時刻を表す情報とに基づき、上記逸脱を確認し、該確認後、移動スケジュール情報を再作成し、該再作成した移動スケジュール情報を連絡先端末３または該連絡先端末３及び連絡元端末２に送信する。さらに、上記連絡元端末２に対する課金の計算を行う。
（ホ）連絡元端末２からのサービス要求がなくとも、サーバ１が、連絡元端末２が所定エリア内へ移動したことを確認したとき、該確認後該サーバ１は、起点情報と終点情報とを含む移動情報に基づき、該連絡元端末２が該終点に到着する時刻を含む移動スケジュール情報を作成し、連絡先端末３または該連絡先端末３及び連絡元端末２に送信する。さらに、上記移動スケジュール情報の送信後、該連絡元端末２に寄り道などによる移動スケジュールからの逸脱が発生したとき、サーバ１が、上記連絡元端末２の現在地を表す情報と現時刻を表す情報とに基づき、上記逸脱を確認し、該確認後、移動スケジュール情報を再作成し、該再作成した移動スケジュール情報を連絡先端末３または該連絡先端末３及び連絡元端末２に送信する。さらに、上記連絡元端末２に対する課金の計算を行う。
（ヘ）上記移動情報に含まれる起点情報を、連絡元端末２の予め登録した登録起点を表す情報とする。
（ト）上記移動情報に含まれる終点情報を、連絡先端末の現在地を表す情報とする。
（チ）上記移動情報は、連絡元端末２の移動経路を表す移動経路情報を含み、サーバ１は、移動スケジュール情報を作成するとき、上記移動経路情報から交通手段を決める。
【００１５】
上記（イ）〜（チ）の形態によれば、上記図１〜図４で説明した実施例の場合と同様、連絡先端末からの通知を受けずとも、簡単な操作により、連絡元端末側から自発的に到着予想時刻を該連絡先端末側に連絡することができる。交通機関の状況なども加味した到着予想時刻などの移動スケジュールを連絡先端末側に連絡することができる。移動者自身による移動スケジュールの把握も可能である。さらに、起点は予め登録した登録起点とし、また、終点は、連絡先端末の現在地とすることで、サービス要求毎の起点や終点の情報設定操作を不要にすることができ、この点からも、操作を簡単化できる。移動情報に移動経路情報を含みかつ移動スケジュール情報作成時に交通手段を決めることで、広範囲の移動手段を加味したサービスを実現できる。交通情報の変化や、連絡元端末の移動スケジュールからの逸脱などの場合、移動スケジュール情報を再作成して再送信することで、特に連絡先端末３に対し、交通状況や連絡元端末２側の予定変更に即応したスケジュール修正とその連絡とが可能となる。
【００１６】
【発明の効果】
本発明によれば、簡単な操作により、連絡先端末側からの通知がなくとも、連絡元端末側から自発的に到着予想時刻を該連絡先端末側に連絡することができる。交通機関の状況なども加味した到着予想時刻などの移動スケジュールを連絡先端末側に連絡することができる。
【図面の簡単な説明】
【図１】本発明の移動スケジュール連絡サービスの概念を示す図である。
【図２】本発明の移動スケジュール連絡サービスにおける処理手順例を示す図である。
【図３】本発明の移動スケジュール連絡サービスのシステム構成例を示す図である。
【図４】本発明におけるメールサービスの処理手順例を示す図である。
【符号の説明】
１…サーバ、  ２…連絡元端末、  ３…連絡先端末、  １ｍ、２ｍ、３ｍ…メール送受信部、  １ｐ、２ｐ、３ｐ…情報処理部、  １ｓ、２ｓ、３ｓ…情報記憶部、  １ｐｍ、２ｐｍ、３ｐｍ…メール送受信処理部、  １ｐｃ…帰るメールサービス要求確認処理部、  １ｐｓ…帰宅スケジュール作成処理部、  １ｐｋ…帰るメール作成／送信処理部、  １ｐｒ…帰るスケジュール作成／送信処理部、１ｐｐ…課金処理部、  ２ｇ…ＧＰＳ受信部、  ２ｉ、３ｉ…入力操作部、  ２ｄ、３ｄ…表示部、  ２ｐｖ、３ｐｖ…メールビューア処理部、  ２ｐｋ…帰るメールサービス要求メール自動作成／送信処理部、  ２ｐｇ…現在地算出処理部。
【図１】
2004187244.tif 000003
【図２】
2004187244.tif 000004
【図３】
2004187244.tif 000005
【図４】
2004187244.tif 000006